(57)【要約】【課題】データの迅速リカバリーシステム、及び、その方法【解決手段】  本発明はデータの迅速リカバリーシステムを提供し、主に少なくとも第一ハードディスクを具有するホスト、第二ハードディスクを具有する外付けタイプの保存装置は、連結ポートを通じて該ホストに接続し、及び、第一ハードディスクのデータを該外付けタイプの保存装置にある第二ハードディスクにシンクロナイゼーションするプログラムを該ホストに設置することで、該第一ハードディスクが故障した際、第二ハードディスクが該第一ハードディスクの代わりに関連作業を執行することができる。また、本発明はデータの迅速リカバリー方法を提供する。【選択図】  図４
2008210391.tif 000002
【特許請求の範囲】
【請求項１】
ホスト、外付けタイプの保存装置、プログラムを含み、
前記ホストは少なくとも第一ハードディスクを具有し、及び、
前記外付け保存装置は第二ハードディスクを具有し、連結ポートを通じて該ホストに接続し、及び、
前記プログラムは前記ホストに設置し、前記第一ハードディスクのデータを前記外付けタイプの保存装置にある第二ハードディスクにシンクロナイゼーションすることができ、該第一ハードディスクが故障した際、該第二ハードディスクが該第一ハードディスクの代わりの関連作業を執行できることを特徴とするデータ迅速リカバリーシステム。
【請求項２】
前記ホストはデスクトップ、ノートパソコン、ＰＤＡ或いは多機能携帯であることを特徴とする請求項１記載のデータ迅速リカバリーシステム。
【請求項３】
前記連結ポートはＵＳＢポート、ＳＡＴＡポート或いはＩＥＥＥ１３９４ポートであることを特徴とする請求項１記載のデータ迅速リカバリーシステム。
【請求項４】
前記プログラムは更にスタートアッププログラムを具有することを特徴とする請求項１記載のデータ迅速リカバリーシステム。
【請求項５】
前記第一ハードディスクが故障する際、新しいハードディスクを該第一ハードディスクの代わりに使用することができ、且つ、前記スタートアッププログラムを介し該ホストを起動し、同時に該スタートアッププログラムのコントロールを介し、前記第二ハードディスクにある全てのデータを新しい第一ハードディスクの中にバックアップすることを特徴とする請求項４記載のデータ迅速リカバリーシステム。
【請求項６】
前記外付けタイプ保存装置を前記ホストに接続した場合、前記プログラムは該第二ハードディスクのデータ或いはファイルをスキャンし、新しいファイル或いはデータのみを前記第一ハードディスクの中にバックアップすること特徴とする請求項１記載のデータ迅速リカバリーシステム。
【請求項７】
前記プログラムは前記第二ハードディスクにあるファイル或いはデータのバックデイトをチェックし、前記第一ハードディスクへのバックアップを執行するか否かを決定することを特徴とする請求項６記載のデータ迅速リカバリーシステム。
【請求項８】
前記スタートアッププログラムはフロッピー（登録商標）ディスク或いはコンパクトディスクに位置することを特徴とする請求項４記載のデータ迅速リカバリーシステム。
【請求項９】
ホスト、外付けタイプの保存装置、プログラムを含み、
前記ホストは少なくとも第一ハードディスクを具有し、及び、
前記外付けタイプの保存装置は第二ハードディスクを具有し、及び、
前記プログラムを該ホストに設置し、及び、
連結ポートを介し、前記外付けタイプの保存装置を前記ホストに接続し、及び、
前記プログラムのコントロールを介し、前記第一ハードディスクのデータを該外付けタイプの保存装置にある第二ハードディスクにシンクロナイゼーションすることを特徴とするデータ迅速リカバリーシステム。
【請求項１０】
前記ホストは少なくとも第一ハードディスクのステップにおいて、前記ホストはデスクトップ、ノートパソコン、ＰＤＡ或いは多機能携帯であることを特徴とする請求項９記載のデータ迅速リカバリーシステム。
【請求項１１】
前記連結ポートを介し、前記外付けタイプの保存装置を該ホストに接続するステップにおいて、前記連結ポートはＵＳＢポート、ＳＡＴＡポート或いはＩＥＥＥ１３９４ポートであることを特徴とする請求項９記載のデータ迅速リカバリーシステム。
【請求項１２】
前記プログラムを前記ホストに設置するステップにおいて、前記プログラムは更にスタートアッププログラムが生じる次なるステップを具有することを特徴とする請求項９記載のデータ迅速リカバリーシステム。
【請求項１３】
前記第一ハードディスクが故障する際、新しいハードディスクを前記第一ハードディスクの代わりに使用することができ、且つ、前記スタートアッププログラムを介し前記ホストを起動し、同時に前記スタートアッププログラムのコントロールを介し、前記第二ハードディスクにある全てのデータを新しい第一ハードディスクの中にバックアップすることを特徴とする請求項１２記載のデータ迅速リカバリーシステム。
【請求項１４】
前記外付けタイプ保存装置を前記ホストに接続した場合、前記プログラムは前記第二ハードディスクのデータ或いはファイルをスキャンし、新しいファイル或いはデータのみを該第一ハードディスクの中にバックアップすること特徴とする請求項１記載のデータ迅速リカバリーシステム。
【請求項１５】
前記プログラムは前記第二ハードディスクにあるファイル或いはデータのバックデイトをチェックし、前記第一ハードディスクへのバックアップを執行するか否かを決定することを特徴とする請求項１４記載のデータ迅速リカバリーシステム。
【請求項１６】
前記スタートアッププログラムはフロッピー（登録商標）ディスク或いはコンパクトディスクに位置することを特徴とする請求項１２記載のデータ迅速リカバリーシステム。
【発明の詳細な説明】
【技術分野】
【０００１】
本発明は、データの迅速リカバリーシステム、及び、その方法に関し、特にデータシンクロナイゼーション、及び、スタートアッププログラムを介し、データのリカバリーを執行するなどのメリットを具有することを特徴とするデータの迅速リカバリーシステム、及び、その方法に関する。
【背景技術】
【０００２】
一般的なデータのリカバリー方法は、スタートアップのイメージファイルを製作するのを介し、ハードディスクが故障した際に、該スタートアップイメージファイルによりスタートアップを執行し、且つ元のハードディスクにあるデータを新しいハードディスクにバックアップする。上述の方法は、コンピューターのホストにあるハードディスクを取り、新しいハードディスクと差し替え、且つリカバリーを行ってから使用できるなど、プロセスが複雑である。
【０００３】
また、外付けハードディスクはデータを保存或いはバックアップするために使用されることが多いが、外付けハードディスクはデータをバックアップする機能のみであり、ホストのハードディスクが故障した際、外付けハードディスクをホストに置換しても、直接スタートアップする機能を持たないなど、上記の問題を鑑みて、従来技術を改善する必要があった。
【特許文献１】特開２００５−２４２５３６号公報
【発明の開示】
【発明が解決しようとする課題】
【０００４】
本発明の第１の目的は、データのシンクロナイゼーション機能を具有する、データの迅速リカバリーシステム、及び、その方法を提供することにある。
本発明の第２の目的は、スタートアッププログラムを介し、データリカバリーを執行できる、データの迅速リカバリーシステム及び該方法を提供することにある。
本発明の第３の目的は、データのバックアップをファイル或いはホストにシンクロナイゼーションできる、データの迅速リカバリーシステム、及び、その方法を提供することにある。
【課題を解決するための手段】
【０００５】
上述の目的を解決するために、本発明はデータの迅速リカバリーシステム、及び、その方法を提供することにある。含まれるのは、ホスト及び少なくとも第一ハードディスク、外付けタイプの保存装置、第二ハードディスクと、該ホストに接続する連結ポート、第一ハードディスクに入力したデータをシンクロナイゼーションで該外付けタイプ保存装置にある第二ハードディスクに入力するプログラムを該ホストに設置し、該第一ハードディスクが故障する際、該第二ハードディスクが第一ハードディスクの代わりに、ハードディスクの関連作業を執行できる。
【発明の効果】
【０００６】
本発明によれば、少なくとも第一ハードディスクを具有するホスト、第二ハードディスクを具有する外付けタイプの保存装置、プログラムを該ホストに設置し、連結ポートを介し、該外付けタイプ保存装置を該ホストに接続する。及び該プログラムにより、該第一ハードディスクに入力したデータを該外付けタイプ保存装置にある第二ハードディスクにシンクロナイゼーションできることで、データが迅速にリカバリーすることができる。
【発明を実施するための最良の形態】
【０００７】
本発明によるデータの迅速リカバリーシステム及びその方法を明確に示すために図に沿って詳細な説明を行う。
図１に示すのは、本発明のデータ迅速リカバリーシステムの接続略図である。図２が示すのは、本発明のデータ迅速リカバリーシステムが第二ハードディスクを介し、スタートアップを執行する略図である。図３に示すのは、本発明のデータ迅速リカバリーシステムがスタートアッププログラムを介し、スタートアップを執行する略図である。
【０００８】
これらの図に示すように、本発明のデータ迅速リカバリーシステムに含まれるのはホスト10、外付けタイプの保存装置20、プログラム30によって組成している。
【０００９】
前記ホスト10は少なくとも一つの第一ハードディスク11を具有し、例に挙げたデスクトップに限らず、ノートパソコン、ＰＤＡや多機能携帯などでも使用できる。また、該第一ハードディスク11はオペレーションシステム(ＯＳと略し、図示ぜす)を具有するが、ウィンドウズ（登録商標）2000、ウィンドウズ（登録商標）ＸＰ或いはVistaなどの作業システムに限らない。
【００１０】
前記外付けタイプの保存装置20は、第二ハードディスク21及び連結ポート22を具有し、該連結ポート22はケーブル23を介し該ホスト10に接続する。該連結ポート22はＵＳＢポートに限らず、ＳＡＴＡポート或いはＩＥＥＥ１３９４ポートなどでもよく、また、該ホスト10は対応する連結ポートを具有する(図に未掲載)。
【００１１】
該プログラム30は該ホスト10に設置し、該第一ハードディスク11に入力したデータを同時に外付けタイプの保存装置20の第二ハードディスク２1にシンクロナイゼーションする。該オペレーションシステムとデータ或いはファイルは同時にバックアップするため、該第二ハードディスク21のデータは該第一ハードディスク11と全く同じになる。また、該プログラム30は更にスタートアッププログラム31を具有し、該スタートアッププログラム31はフロッピー（登録商標）ディスク40或いはコンパクトディスク50に保存しても良い。また、該プログラム30は該第二ハードディスク21にあるファイル或いはデータのバックデイトをチェックし、該第一ハードディスク11へのバックアップを執行するか否かを決定する。例えばユーザーが該外付けタイプの保存装置20を持って外出し、ほかのホストに接続(図示せず)して作業を行い、該内部のファイル或いはデータを更新する。該外付けタイプ保存装置20を再度該ホスト10に接続した場合、該プログラム30は該第二ハードディスク21の中に新しいデータ或いはファイルが存在することをスキャンした場合、該プログラム30のコントロールにより、新しいファイル或いはデータのみを該第一ハードディスク11の中にバックアップすることで、該第一ハードディスク11及び第二ハードディスク21のデータがシンクロナイゼーションする目的に達する。
【００１２】
図２に示すように、該第一ハードディスク11が故障した際、ユーザーは第二ハードディスク21を該外付けタイプの保存装置20より外して該ホスト10の中に取り付ける。前記第一ハードディスク11にあるスタートアッププログラム及び内部データは100％該第二ハードディスク21にコピーされているため、第二ハードディスク21に交換しても、スタートアップした後の内容及びスタートアップのプロセスは該第一ハードディスク11と全く同じである。スタートアッププログラムを執行できるだけでなく、元のオペレーションシステムや、元のハードディスクにある関連作業を行うことができる。もう一つのバックアップハードディスクが必要である場合、ユーザーは別途新しいハードディスクを購入し、それを該外付けタイプの保存装置20の中に取り付け、該連結ポート22を使用しケーブル23を介して該ホスト10に接続する。該プログラム30が該第二ハードディスク21をスキャンすれば、直ちに第一ハードディスク11に保存しているファイル及びデータを全て第二ハードディスク21の中にバックアップする。
【００１３】
図３に示すように、該第一ハードディスク11が故障した時、ユーザーは第一ハードディスク11の代わりに直接新しいハードディスクを購入できるが、新しい第一ハードディスク11を予めフォーマットする。該スタートアッププログラム31を具有するフロッピー（登録商標）ディスク40やコンパクトディスク50をホスト10に入れ、ホスト10の電源を入れる。該スタートアッププログラム31のコントロールを介し、該第二ハードディスク21の中にある全てのデータを新しい第一ハードディスク11の中にバックアップすることで、故障したハードディスクの交換及びデータのリカバリーを完成する。
【００１４】
本発明はデータ迅速リカバリー方法を提供する。
図４に示すのは、本発明のデータ迅速リカバリー方法のプロセス略図である。本発明のデータ迅速リカバリー方法は下記のステップを含む：少なくとも第一ハードディスク11を具有するホスト10(ステップ1)を提供。第二ハードディスク21を具有する外付けタイプの保存装置20(ステップ2)を提供。プログラム30を該ホスト10に設置する(ステップ3)。連結ポート22を介し、該外付けタイプの保存装置20を該ホスト10に接続する(ステップ4)。及び該プログラム30のコントロールにより、該第一ハードディスク11のデータを該外付けタイプの保存装置20にある第二ハードディスク21に書き込む(ステップ5)。
【００１５】
前記ステップ１では、少なくとも第一ハードディスク11を具有するホスト10は、ディスクトップコンピューター、ノートパソコン、ＰＤＡ或いは多機能携帯であることができる。
【００１６】
前記ステップ２では外付けタイプの保存装置20、その中に、第二ハードディスク21を具有する。
【００１７】
前記ステップ３では、一つのプログラム30を前記ホスト10に設置する。前記プログラム30は前記第一ハードディスク11に書き込まれるデータを該外付けタイプの保存装置20にある第二ハードディスク21にシンクロナイゼーションし、オペレーションシステムとデータ或いはファイルの同時バックアップを含む。よって、前記第二ハードディスク21は前記第一ハードディスク11と全く同じデータを共有できる。
【００１８】
前記ステップ４では、連結ポート22を介し、該外付けタイプの保存装置20を該ホスト10に接続する。該外付けタイプの保存装置20は更に連結ポート22を具有し、該連結ポート22はＵＳＢポート、ＳＡＴＡポート或いはＩＥＥＥ１３９４ポートにすることができる。
【００１９】
前記ステップ５では、前記プログラム30により、前記第一ハードディスク11に書き込まれるデータを、前記外付けタイプの保存装置20にある第二ハードディスク21にシンクロナイゼーションする。前記第一ハードディスク11が故障する際、ユーザーは第二ハードディスク21を外付けタイプの保存装置20より取り外して前記ホスト10の中に設置することができる。前記第一ハードディスク11にあるスタートアップシステム及び内部データは100％前記第二ハードディスク21からコピーしているものであるため、第二ハードディスク21に交換した後、該スタートアップの後の内容及びスタートアップのプロセスも該第一ハードディスク11と同じであり、スタートアッププログラム及び関連作業を執行することができる。もう一つのバックアップハードディスクが必要である場合、ユーザーは別途新しいハードディスクを購入し、該外付けタイプの保存装置20の中に設置し、該連結ケーブル23を介し、該ホスト10に接続する。この時、該プログラム30が第二ハードディスク21をスキャンすると、第一ハードディスク11の中にあるファイル及びデータを全て該第二ハードディスク21の中にバックアップする。
【００２０】
また、本発明のデータ迅速リカバリー方法は、更に、前記プログラム30がスタートアッププログラム31のステップ(ステップ６)を具有する。該ステップ6では、該スタートアッププログラム31はフロッピー（登録商標）ディスク40或いはコンパクトディスク50に位置することができる。前記第一ハードディスク11が故障した際、ユーザーは故障した第一ハードディスク11の代わりに、新しくフォーマットしたハードディスクを購入することができる。この時、該スタートアッププログラム31を具有するフロッピー（登録商標）ディスク40或いはコンパクトディスク50をホスト10に入れてから電源を入れると、該スタートアッププログラム31のコントロールにより、該第二ハードディスク21の中にある全てのデータを新しい第一ハードディスク11の中にバックアップすることで、故障ハードディスクの交換及びデータのリカバリーが完成する。
【００２１】
また、前記プログラム30は前記第二ハードディスク21にあるファイル或いはデータのバックデイトをチェックし、前記第一ハードディスク11へのバックアップを執行するか否かを決定する。例えばユーザーが該外付けタイプの保存装置20を持って外出し、ほかのホストに接続(図示せず)して作業を行い、該内部のファイル或いはデータを更新する。該外付けタイプ保存装置20を再度該ホスト10に接続した場合、該プログラム30は該第二ハードディスク21の中に新しいデータ或いはファイルが存在することをスキャンした場合、該プログラム30のコントロールにより、新しいファイル或いはデータのみを該第一ハードディスク11の中にバックアップすることで、該第一ハードディスク11及び第二ハードディスク21のデータがシンクロナイゼーションの目的に達する。
【００２２】
本発明のデータ迅速リカバリーシステム、及び、その方法の実施により、データのシンクロナイゼーションを具有し、及び、スタートアッププログラムを介し、データリカバリーを行うことができるなどのメリットを具有することで、従来技術の問題を解決することができる。
【００２３】
上記の実施例による本発明の詳細説明は、本発明の範囲を制限するものではない。本技術を熟知する者が、局部の変更或いは手直しを行っても、本発明の重要な意義が失われず、本発明の適用範囲に含まれる。
【図面の簡単な説明】
【００２４】
【図１】本発明のデータ迅速リカバリーシステムの接続略図である。
【図２】本発明のデータ迅速リカバリーシステムが第二ハードディスクを介し、スタートアップを執行する略図である。
【図３】本発明のデータの迅速リカバリーシステムがスタートアッププログラムを介し、スタートアップを執行する略図である。
【図４】本発明のデータの迅速リカバリーシステム及び該方法のプロセス略図である。
【符号の説明】
【００２５】
10  ホスト
11  第一ハードディスク
20  外付けタイプの保存装置
21  第二ハードディスク
22  連結ポート
23  ケーブル
30  プログラム
31  スタートアッププログラム
40  フロッピー（登録商標）ディスク
50  コンパクトディスク
【図１】
2008210391.tif 000003
【図２】
2008210391.tif 000004
【図３】
2008210391.tif 000005
【図４】
2008210391.tif 000006
【外国語明細書】
2008210391000001.pdf